(57)【特許請求の範囲】
【請求項１】
左右の側部が後ろ側に折返されるシャツ類を、懸吊枠が矩形状のハンガーと一緒に懸吊状態のまま包装する包装機構を備えたシャツ類の立体包装機において、上記のシャツ類を着せる起立板と、この起立板に装着させたシャツ類の左右の側部を起立板の後ろ側に折返す折返し機構と、この折返し機構で縦長に畳まれたシャツ類を上記ハンガーの懸吊枠にくぐらせて二つ折りさせる二つ折り機構と、この二つ折り機構で二つ折りされたシャツ類をハンガーに懸吊させたまま上記の包装機構に搬送する搬送機構とを備え、上記の起立板が人体胴状に形成され、上記の折返し機構が、起立板の両側に起立状に夫々配設され側方にスライド自在に形成された、シャツ類の装着と折返しに用いる折返し板と、起立板の下方に配設されこの折返し板を起立板の後ろ側に回動させる回動操作部と、起立板の後方に配設され折返し時に起立板の後ろ側の両側端縁に沿って起立状の押え杆を夫々当接させる折返し補助装置とで形成され、上記の二つ折り機構が、起立板に縦長に畳まれたシャツ類の上部にハンガーの懸吊枠を嵌挿させる嵌挿機構と、ハンガーの懸吊枠が嵌挿された状態のシャツ類の両肩部を挟持する昇降動作自在のクランプと、挟持されたシャツ類をハンガーの懸吊枠にくぐらせた状態で二つ折り位置までクランプを後退させる動作装置とで形成され、上記の搬送機構が、二つ折りされたシャツ類を起立板から引き抜くハンガーの引上げ機構を備えてなることを特徴とするシャツ類の立体包装機。
【請求項２】
起立板に着せられたシャツ類の裾を固定する固定機構が、起立板の前方位置に設けられたことを特徴とする請求項１記載のシャツ類の立体包装機。
【請求項３】
起立板に縦長に畳まれたシャツ類の袖を押える押え板が、起立板の後方位置に進退動作自在に設けられたことを特徴とする請求項１又は２記載のシャツ類の立体包装機。
【請求項４】
包装機構が、包装用シートの下部を熱溶着して塞ぐヒートシール装置を備えてなることを特徴とする請求項１、２、又は３記載のシャツ類の立体包装機。
【発明の詳細な説明】
【０００１】
【発明の属する技術分野】
本発明はシャツ類の立体包装機に関し、更に詳しくはクリーニング工場等において特にワイシャツ等の洗濯物を包装するのに使用するシャツ類の立体包装機に関するものである。
【０００２】
【従来の技術】
従来この種の立体包装機としては、懸吊枠が矩形に形成されたハンガーを利用してシャツ類の左右の側部を折返し、ハンガーと一緒にシャツ類を縦長に立体包装するものがある（例えば特開平６ー１３１９号公報、同５ー２１３３１６号公報参照）。
【０００３】
【発明が解決しようとする課題】
而して上記の従来機では、シャツ類の左右の側部を人手によって折返すよう構成されていた。従って従来機を使用すると、この種の折返し作業に手間暇がかかったから、包装作業の能率が上がらないという問題点があった。
【０００４】
ところでこの種の洗濯物包装品は、通常、袋の口から露出したハンガーのフックを利用して吊り下げた状態で搬送、運搬されることが多い。従ってこの種の包装品にあっては、クリーニング工場内での搬送時、又工場から取次店までの運搬時、更には取次店内等において、下端が床擦れして汚れることがないよう、包装されるのが望ましい。
しかるに従来機の場合は、ハンガーに着せた状態でシャツ類が縦長に、丈が長く包装された。それ故従来機で包装された洗濯物は、運搬時、携帯時等に床擦れし易く、埃等で汚れ易かった。
【０００５】
又従来機では、上記の通り包装品が縦長に包装されたから、例えば取次店においては包装品を持ち帰り易くできるよう、二つ折りした後、手提げ袋等に入れて客に渡しているのが実情である。従って従来機を使用すると、取次店での受け渡し作業等の段階においても、取り扱いが不便で煩わしさを伴うものであった。
【０００６】
更に従来機は、シャツ類をハンガーに着せ、ハンガーを利用して縦長に包装するものであった。従って従来機によって包装されたシャツ類をハンガーから取り外す場合は、先ず襟元のボタンを外し、次にハンガーを襟口から引き出さなければならないという不便があった。
【０００７】
本発明は、このような従来機の問題点を解消しようとするものである。
従って本発明の技術的課題は、シャツ類の側部の折返し作業にかかる手間暇を一掃でき、床擦れを防止でき、取扱いが容易でハンガーからの取り外し操作も簡単にできるよう形成したシャツ類の立体包装機を提供することにある。
【０００８】
【課題を解決するための手段】
本発明は、上記の課題を解決するために次のような技術的手段を採る。
即ち本発明は、左右の側部が後ろ側に折返されるシャツ類１を、懸吊枠１０ａが矩形状のハンガー１０と一緒に懸吊状態のまま包装する包装機構２０を備えたシャツ類の立体包装機において、上記のシャツ類１を着せる起立板２と、この起立板２に装着させたシャツ類１の左右の側部を起立板２の後ろ側に折返す折返し機構４と、この折返し機構４で縦長に畳まれたシャツ類１を上記ハンガー１０の懸吊枠１０ａにくぐらせて二つ折りさせる二つ折り機構９と、この二つ折り機構９で二つ折りされたシャツ類１をハンガー１０に懸吊させたまま上記の包装機構２０に搬送する搬送機構１９とを備え、上記の起立板２が人体胴状に形成され、上記の折返し機構４が、起立板２の両側に起立状に夫々配設され側方にスライド自在に形成された、シャツ類１の装着と折返しに用いる折返し板５と、起立板２の下方に配設されこの折返し板５を起立板２の後ろ側に回動させる回動操作部６と、起立板２の後方に配設され折返し時に起立板２の後ろ側の両側端縁に沿って起立状の押え杆７ａを夫々当接させる折返し補助装置７とで形成され、上記の二つ折り機構９が、起立板２に縦長に畳まれたシャツ類１の上部にハンガー１０の懸吊枠１０ａを嵌挿させる嵌挿機構１１と、ハンガー１０の懸吊枠１０ａが嵌挿された状態のシャツ類１の両肩部を挟持する昇降動作自在のクランプ１２と、挟持されたシャツ類１をハンガー１０の懸吊枠１０ａにくぐらせた状態で二つ折り位置までクランプ１２を後退させる動作装置１３とで形成され、上記の搬送機構１９が、二つ折りされたシャツ類１を起立板２から引き抜くハンガー１０の引上げ機構２１を備えてなることを特徴とする。
【０００９】
この場合本発明は、起立板２に着せられたシャツ類１の裾を固定する固定機構３が、起立板２の前方位置に設けられると良い。
【００１０】
又本発明は、起立板２に縦長に畳まれたシャツ類１の袖を押える押え板８が、起立板２の後方位置に進退動作自在に設けられるのが好ましい。
【００１１】
更に本発明の場合、包装機構２０は、包装用シート２４の下部２４ｂを熱溶着して塞ぐヒートシール装置２７を備えてなるのが好ましい。
【００１２】
【発明の実施の形態】
以下、本発明の好適な一実施例を添付図面に従って説明する。
１は、左右の側部が後ろ側に折返される例えばワイシャツ、ブラウスなどのシャツ類である。このシャツ類１としては、特にワイシャツが好ましい。
【００１３】
２は、上記のシャツ類１を着せる起立板である。この起立板２は、人体胴状に形成されている。又この起立板２は、上部の左右位置に切欠き２ａが夫々形成され、中央部に細長の開口２ｂが垂直状に形成されている。
【００１４】
３は、起立板２に着せられたシャツ類１の裾を固定する固定機構である。この固定機構３は、起立板２の前方位置に設けられ、図１９に示されるように上記の開口２ｂに沿って上下動自在に形成されたパッド受け３ａと、このパッド受け３ａにシャツ類１の裾を押し付けるパッド３ｂと、このパッド３ｂを進退動作させるエアシリンダ３ｃと、このエアシリンダ３ｃとパッド受け３ａの支持杆３ｄとを一体化する連結杆３ｅと、この連結杆３ｅを上下動自在に収納する支柱３ｆとでなる。この支柱３ｆは、連結杆３ｅの上昇動作を軽く円滑にさせる重り３ｇを備えてなる。尚３ｈは、連結杆３ｅと重り３ｇとを連結するワイヤー、３ｉは滑車、３ｊはガイドである。
【００１５】
４は、起立板２に装着させたシャツ類１の左右の側部を起立板２の後ろ側に折返す折返し機構である。この折返し機構４は、シャツ類１の装着と折返しに用いる折返し板５と、この折返し板５を起立板２の後ろ側に回動させる回動操作部６と、折返し時に起立板２の後ろ側の両側端縁に沿って起立状の押え杆７ａを夫々当接させる折返し補助装置７とでなる。
【００１６】
上記の折返し板５は、起立板２の両側に起立状に夫々配設され、側方にスライド自在に形成されている。５ａは、この折返し板５を移動させるエアシリンダ、５ｂはこのエアシリンダ５ａの取付け板である。エアシリンダ５ａのロッドは折返し板５に固定され、折返し板５の下端に固定されたスライダー５ｃが取付け板５ｂのガイド５ｄに摺動自在に係合されている。
【００１７】
上記の回動操作部６は、起立板２の下方に配設され、上記取付け板５ｂを軸６ａを中心に、１８０度回動させるロータリアクチュエータ６ｂを備えてなる。この回動操作部６は、ロータリアクチュエータ６ｂに代え、エアシリンダやモータを利用して構成されるのでも良い。
【００１８】
上記の折返し補助装置７は、起立板２の後方に押え杆７ａを進退動作自在に配設されてなる。７ｂは、この押え杆７ａを進退動作させるエアシリンダ、７ｃは案内ガイドである。
【００１９】
又８は、起立板２に縦長に畳まれたシャツ類１の袖を押える押え板である。この押え板８は、起立板２の後方位置に進退動作自在に設けられている。８ａはこの押え板８を進退動作させるエアシリンダである。押え板８は、上記の案内ガイド７ｃに沿って進退動作するよう形成されている。
【００２０】
９は、折返し機構４で縦長に畳まれたシャツ類１を、ハンガー１０の懸吊枠１０ａにくぐらせて二つ折りさせる二つ折り機構である。この二つ折り機構９は、起立板２に縦長に畳まれたシャツ類１の上部にハンガー１０の懸吊枠１０ａを嵌挿させる嵌挿機構１１と、ハンガー１０の懸吊枠１０ａが嵌挿された状態のシャツ類１の両肩部を挾持する昇降動作自在のクランプ１２と、挾持されたシャツ類１をハンガー１０の懸吊枠１０ａにくぐらせた状態で二つ折り位置までクランプ１２を後退させる動作装置１３とを備えて形成されている。
【００２１】
１１ａ（図１３等参照）は、ハンガー１０を挾持するハンガークランプである。１１ｂは、このハンガークランプ１１ａを９０度回転させて起伏動作させるロータリアクチュエータである。ハンガークランプ１１ａとロータリアクチュエータ１１ｂは、垂直杆１１ｃの下端部に設けられ、垂直杆１１ｃはガイド１１ｄに沿ってエアシリンダ１１ｅで昇降動作自在に形成されている。ガイド１１ｄは、水平状の固定杆１１ｆに沿って水平に設けられたロッドレスシリンダ１１ｇのピストン金具１１ｈに固定され、このピストン金具１１ｈに上記のエアシリンダ１１ｅが垂直状に固定されている。
【００２２】
又嵌挿機構１１は、図１、図２５等に示されるようなハンガー１０の供給装置１４を備えてなるのが好ましい。この供給装置１４は、上部が上方に向かって末広がり状に開口されたハンガーポケット１４ａと、このハンガーポケット１４ａ内にハンガー１０を供給するモータ１４ｂと、このモータ１４ｂの回転軸に連結されたスクリューボルト１４ｃと、更にハンガーポケット１４ａをハンガークランプ１１ａの下方位置に進退動作させるロッドレスシリンダ１４ｄとを備えてなる。
【００２３】
上記のハンガーポケット１４ａは、ハンガー１０の有無を検出するリミットスイッチ１４ｅを備えてなる。このリミットスイッチ１４ｅは、ハンガー１０がない状態を検知するとモータ１４ｂに出力し、この出力信号を受けるとモータ１４ｂが駆動するよう構成されている。
【００２４】
上記のハンガーポケット１４ａは、スクリューボルト１４ｃの先端の直下位置に配設されている。スクリューボルト１４ｃは、先端を低くして傾斜状に配設され、ねじ溝にはハンガー１０のフック１０ｂが係合状に掛けられる。ロッドレスシリンダ１４ｄは、マウント金具１４ｆが水平状の固定杆１４ｇに固定され、角形のシリンダパイプ１４ｈがマウント金具１４ｆに対しスライドするよう形成されている。そして上記のハンガーポケット１４ａは、シリンダパイプ１４ｈに固定されている。尚１４ｉは、スクリューボルト１４ｃの先端から落下するハンガー１０を、ハンガーポケット１４ａに円滑且つ確実に案内する為の案内杆である。
【００２５】
上記のクランプ１２は、図１４等に示されるように下端が開放された垂直杆１５に縦に設けられたロッドレスシリンダ１６のマウント金具１６ａに固定され、垂下されている。１７は、本発明機の上部に、前後方向に沿って水平状に配設された支承杆である。垂直杆１５は、この支承杆１７に沿って動作装置１３としての前後一対のエアシリンダによって進退動作自在に形成されている。
【００２６】
動作装置１３としての前側のエアシリンダ１３ａは、スライダー１８に固定され、後ろ側のエアシリンダ１３ｂは支承杆１７の後部に固定され、両者はロッドの先端を連結した状態で突き合わされている。尚この動作装置１３は、このようなエアシリンダで形成するのに代え、例えば正逆回転モータとスクリューネジとの組み合わせで構成するのでも良い。
【００２７】
１９（図１、図２１等参照）は、二つ折り機構９で二つ折りされたシャツ類１を、ハンガー１０に懸吊したまま包装機構２０に搬送する搬送機構である。この搬送機構１９は、二つ折りされたシャツ類１を、起立板２から引き抜くハンガー１０の引上げ機構２１を備えてなる。
【００２８】
引上げ機構２１は、ハンガー１０を挾持するハンガークランプ２１ａと、このハンガークランプ２１ａを昇降動作させるロッドレスシリンダ２１ｂとでなる。ハンガークランプ２１ａは、ロッドレスシリンダ２１ｂのマウント金具２１ｃに固定されている。又ロッドレスシリンダ２１ｂのシリンダパイプ２１ｄは、ロッドレスシリンダ１９ａのマウント金具１９ｂに固定されている。ロッドレスシリンダ１９ａは、懸吊杆１９ｃに垂直状に固定され、懸吊杆１９ｃは支承杆１７にスライダー１９ｄを介して垂下されている。
【００２９】
１９ｅは、懸吊杆１９ｃを支承杆１７に沿って進退動作させる前後一対のエアシリンダである。前側のエアシリンダ１９ｅ1 は、スライダー１９ｄに固定され、後ろ側のエアシリンダ１９ｅ2 は支承杆１７の後端に固定され、且つ両者はロッドの先端が連結された状態で突き合わされている。尚本発明では、このような構成のエアシリンダで懸吊杆１９ｃを進退動作させる場合には限定されず、その他例えば正逆回転モータとスクリューネジとの組み合わせで構成するのでも良い。
【００３０】
包装機構２０は、シャツ類１をハンガー１０と一緒に、懸吊状態のまま包装するよう構成されている。即ちこの包装機構２０は、図２９〜図３３等に示されるように、垂直に起立された胴板２２と、この胴板２２の上方に配設されたシート引下げ機構２３と、このシート引下げ機構２３で引き下げられた包装用シート２４の上部位置を熱溶着すると共に切断するシール機構２５とを備えてなる。尚包装用シート２４としては、例えばポリエチレン製の筒状の透明シートが好ましい。この包装用シート２４は、ロール状に巻回されてなる。
【００３１】
上記の胴板２２は、上端中央位置に、ハンガー１０のフック１０ｂを掛けるのに用いる引っ掛け部２２ａが設けられている。又この胴板２２は、エアシリンダ２６で軸２６ａを中心に９０度、本発明機の後方に回動するよう形成されている。
【００３２】
上記のシート引下げ機構２３は、包装用シート２４の両側部を挾持するクランプ２８ａを対向位置に備えた枠状の本体２８と、この本体２８を昇降動作させる上下一対のエアシリンダ２９とを備えてなる。
【００３３】
上記エアシリンダ２９は、ロッドの先端が連結されて突き合わされ、垂直状に配設されている。枠状の本体２８は、上部のエアシリンダ２９ａのロッドの延伸動作で押し下げられ、これにより包装用シート２４が熱溶着位置に配置される。又上部がシールされた包装用シート２４は、図３３、図３４等に示されるように下部のエアシリンダ２９ｂのロッドの収縮動作で、ハンガー１０のフック１０ｂが袋状の包装用シート２４の開口部２４ａから露出するよう、本体２８と一緒に更に引下げられる。
【００３４】
上記のシール機構２５は、図３１等に示されるようにエアシリンダ２５ａの作用で開脚状に開閉動作する一対の枠体２５ｂと、この枠体２５ｂの一方の下部に配設されたヒータ２５ｃと、このヒータ２５ｃの少し上方位置にヒータ２５ｃと平行状に配設されたカッター２５ｄとを備えてなる。尚２５ｅは、包装用シート２４を緊張状態に保持させるエアシリンダである。
【００３５】
又上記の包装機構２０は、包装用シート２４の下部２４ｂを熱溶着して塞ぐヒートシール装置２７（図３６参照）を備えてなる。このヒートシール装置２７は、昇降動作自在に形成されたハンガー引上げ部３０と、この引上げ部３０が上昇し所定位置に停止した際に包装用シート２４の下部２４ｂを熱溶着するヒータ３１と、このヒータ３１を進退動作させるエアシリンダ３２とを備えてなる。
【００３６】
引上げ部３０はロッドレスシリンダ３３のマウント金具３３ａに固定され、ロッドレスシリンダ３３は柱３４に沿って垂直に配設されている。尚、柱３４の上部に、ハンガー１０のフック１０ｂが受け渡されるフック受け３５が設けられると良い。引上げ部３０は、垂直杆３０ａの下端に平行一対状の引っ掛け爪３０ｂを備えてなる。この引っ掛け爪３０ｂは、図３７Ａに示されるように、下降時に、胴板２２の引っ掛け部２２ａに掛けられた上記のフック１０ｂに当たると上方に回動するよう形成され、上昇時は同図Ｃに示されるように、フック１０ｂを引っ掛けて上昇自在に形成されている。
【００３７】
次に本発明の作用を説明する。
先ず起立板２にシャツ類１としてのワイシャツを着せ、裾を例えば固定機構３を利用して固定する。次に折返し板５がエアシリンダ５ａの作用で側方にスライドし、シャツ類１の側部を緊張させる。尚、裾の固定はシャツ類１の下部ボタンを利用して行なうのでも良い。
【００３８】
次に図４に示されるように折返し補助装置７の押え杆７ａが前進し、起立板２の後ろ側の両側端縁に沿って当接される。この状態で折返し板５が、図７、図８に示されるように回動操作部６の作用で起立板２の後ろ側に順次回動配置され、シャツ類１の左右の側部が図９〜図１１に示されるように折返される。
【００３９】
次に図１２に示される通り、押え板８が前進し、起立板２に縦長に畳まれたシャツ類１の袖が押え付けられる。又同時にハンガークランプ１１ａが、図１３に示されるようにロッドレスシリンダ１１ｇの作用で起立板２の上方に移動し、エアシリンダ１１ｅの作用で垂直杆１１ｃと共にガイド１１ｄに案内されて下降し、起立板２に縦長に畳まれたシャツ類１の上部にハンガー１０の懸吊枠１０ａを嵌挿させる。
【００４０】
次にこの状態で、図１４に示されるように後ろ側のエアシリンダ１３ｂのロッドが延伸され、垂直杆１５と共にクランプ１２が、起立板２の上方に配置される。そしてその後、ロッドレスシリンダ１６の作用でクランプ１２が下降し、図１５に示されるようにハンガー１０の懸吊枠１０ａが嵌挿された状態のシャツ類１の両肩部がクランプ１２で挾持される。
【００４１】
次に図１６に示されるようにクランプ１２とハンガークランプ１１ａとが、同時に上昇する。そして図１７に示されるようにハンガークランプ１１ａだけが起立板２の少し上方位置に配置され、この状態でクランプ１２が後ろ側のエアシリンダ１３ｂのロッドの収縮動作により、シャツ類１をハンガー１０の懸吊枠１０ａにくぐらせたまま、予め選定された二つ折り可能な位置まで後退する。その後クランプ１２は、挾持状態を解除する。その結果シャツ類１は、図１８に示されるようにハンガー１０に二つ折りされた状態で垂れ下がる。尚このときシャツ類１の裾は、固定機構３の作用で固定されている。
【００４２】
次にハンガークランプ１１ａが、図１８、図２０に示されるようにロータリアクチュエータ１１ｂの作用で引き起こされ、ハンガー１０が垂直状に配置される。又このとき同時に、搬送機構１９の前側のエアシリンダ１９ｅ1 のロッドが延伸動作する。これにより図２１等に示されるようにエアシリンダ１９ｅ1 とスライダー１９ｄ、及び引上げ機構２１を備えた懸吊杆１９ｃとが一緒になって前進し、起立板２の上方に引上げ機構２１が配置される。尚このとき同時に、前側のエアシリンダ１３ａのロッドが延伸動作し、クランプ１２は垂直杆１５と共に起立板２の前方に退避する。
【００４３】
次に図２２に示されるようにロッドレスシリンダ２１ｂの作用でハンガークランプ２１ａが下降し、ハンガー１０のフック１０ｂを挾持する。その後、図２３に示されるように引上げ機構２１がロッドレスシリンダ１９ａの作用で上昇し、起立板２からシャツ類１を引き抜く。
【００４４】
このときハンガークランプ１１ａは、図２４等に示されるようにロッドレスシリンダ１１ｇの作用で本発明機の右側方位置に復帰する。そして図２５、図２７等に示されるように供給装置１４から送られるハンガー１０のフック１１ｂを、ハンガークランプ１１ａが挾持し、ロータリアクチュエータ１１ｂの作用でハンガー１０を横に伏せた状態に配置する。
【００４５】
次に図２８に示されるように前側のエアシリンダ１９ｅ1 のロッドが収縮し、スライダー１９ｄと共に懸吊杆１９ｃが後退する。そして後退位置で引上げ機構２１が、ロッドレスシリンダ１９ａの作用で懸吊杆１９ｃの下端近くまで下降する。又この位置で引上げ機構２１のロッドレスシリンダ２１ｂが動作し、上記のハンガークランプ２１ａを少し高い位置に配置させる。
【００４６】
次に図２９に示されるように後ろ側のエアシリンダ１９ｅ2 のロッドが収縮し、懸吊杆１９ｃを更に後退させ、胴板２２の直前位置にハンガークランプ２１ａを配置させる。そしてその後、図３０に示されるように引上げ機構２１のロッドレスシリンダ２１ｂが作動し、ハンガークランプ２１ａが下降し、引っ掛け部２２ａにハンガー１０のフック１０ｂを落とし込む。そしてこれによりシャツ類１が、胴板２２に沿って吊り下げられる。
【００４７】
次に図３１〜図３３に示されるように包装機構２０において包装用シート２４でシャツ類１はハンガー１０と共に吊り下げられた状態で包装され、その後エアシリンダ２６のロッドの収縮動作で、軸２６ａを中心に胴板２２が９０度、本発明機の後方側に回動する。
【００４８】
そして図３８に示されるように、ヒートシール装置２７の引上げ部３０が、ロッドレスシリンダ３３の作用で上昇して所定位置に停止した後、ヒータ３１がエアシリンダ３２の作用で前進し、包装用シート２４の下部２４ｂを熱溶着し塞ぐ。
【００４９】
【発明の効果】
以上説明したように本発明は、起立板に装着させたシャツ類の左右の側部を、起立板の後ろ側に折返す折返し機構を備えてなる。
従って本発明によれば、シャツ類の左右の側部を折返す作業にかかる手間暇を一掃でき、その分この種シャツ類の包装作業の迅速化、労力の軽減化を図ることができる。
又本発明は、左右の側部が後ろ側に折返されたシャツ類を、二つ折りした状態でハンガーと一緒に立体包装するよう形成されている。
従って本発明では、包装品の丈を従来機による包装品の半分にできるから、搬送時、携帯時等に包装品の下縁が床擦れすることを防止でき、埃等が袋の開放された下端から侵入することを防止できる。
又本発明機による包装品は、包装状態において既に二つ折りされているから、取次店などでの受け渡しが容易で便利になり、手提げ袋等に詰める作業を簡便にできる。
更に本発明の場合は、従来機のようにシャツ類をハンガーに着せた状態で包装するものではなく、懸吊枠にくぐらせた状態で包装する点に特徴がある。従って本発明によれば、ハンガーからシャツ類を取り外すことが従来機の場合より、格段に簡単な操作で行うことができる。
【００５０】
又請求項２記載のように起立板に着せられたシャツ類の裾を固定する固定機構を備えてなる場合は、ボタン掛け等で行なう場合に比べ、はるかに簡単迅速に裾の乱れを防止できる。
【００５１】
又請求項３記載の本発明の場合は、押え板で起立板に縦長に畳まれたシャツ類の袖を押えることができるから、これによれば袖の乱れを防止して精度良く二つ折りできる。
【００５２】
更に請求項４記載の本発明の場合は、包装機構が、包装用シートの下部を熱溶着して塞ぐヒートシール装置を備えてなるから、これによれば包装品の下部の開口から運搬時、携帯時等に埃等が侵入することを防止できる。
【図面の簡単な説明】
【図１】本発明の実施形態を示す斜視図である。
【図２】本発明の要部側面図である。
【図３】図２の IIIーIII 線における断面図である。
【図４】本発明の要部側面図である。
【図５】図４のＶーＶ線における断面図である。
【図６】図３のＶＩーＶＩ線における断面図である。
【図７】折返し機構の作用を説明する要部平面図である。
【図８】折返し機構の作用を説明する要部平面図である。
【図９】シャツ類の折返し状態を示す要部横断面図である。
【図１０】シャツ類の折返し状態を示す要部背面図である。
【図１１】シャツ類の折返し状態を示す要部正面図である。
【図１２】本発明の作用を説明する要部側面図である。
【図１３】本発明の作用を説明する要部正面図である。
【図１４】本発明の作用を説明する要部側面図である。
【図１５】本発明の作用を説明する要部正面図である。
【図１６】本発明の作用を説明する要部正面図である。
【図１７】本発明の作用を説明する要部側面図である。
【図１８】本発明の作用を説明する要部側面図である。
【図１９】本発明の作用を説明する要部側面図である。
【図２０】本発明の作用を説明する要部正面図である。
【図２１】本発明の作用を説明する要部側面図である。
【図２２】本発明の作用を説明する要部正面図である。
【図２３】本発明の作用を説明する要部正面図である。
【図２４】本発明の作用を説明する要部正面図である。
【図２５】図２４のＡーＡ線から見た要部側面図である。
【図２６】図２５のＡーＡ線から見た要部正面図である。
【図２７】Ａ、Ｂともに本発明の作用を説明する要部側面図である。
【図２８】本発明の作用を説明する要部側面図である。
【図２９】本発明の作用を説明する要部側面図である。
【図３０】Ａは本発明の作用を説明する要部正面図、ＢはＡのＢーＢ線における断面図である。
【図３１】本発明の作用を説明する要部側面図である。
【図３２】図３１のＡーＡ線における説明用の断面図である。
【図３３】本発明の作用を説明する要部側面図である。
【図３４】包装状態を説明する要部正面図である。
【図３５】図３３のＡーＡ線における断面図である。
【図３６】図３５のＡーＡ線から見たヒートシール装置を示す一部を切欠した要部背面図である。
【図３７】Ａ、Ｂ、Ｃはハンガー引上げ部の作用を説明する一部を切欠した要部正面図、ＤはＢのＤーＤ線から見た説明用の断面図である。
【図３８】本発明の作用を説明する要部背面図である。
【符号の説明】
１    シャツ類
２    起立板
４    折返し機構
５    折返し板
６    回動操作部
７    折返し補助装置
７ａ  押え杆
９    二つ折り機構
１０  ハンガー
１０ａ  懸吊枠
１１  嵌挿機構
１２  クランプ
１３  動作装置
１９  搬送機構
２０  包装機構
２１  引上げ機構
【図１】
0003828602.tif 000002
【図２】
0003828602.tif 000003
【図３】
0003828602.tif 000004
【図４】
0003828602.tif 000005
【図５】
0003828602.tif 000006
【図６】
0003828602.tif 000007
【図９】
0003828602.tif 000008
【図７】
0003828602.tif 000009
【図８】
0003828602.tif 000010
【図１０】
0003828602.tif 000011
【図１１】
0003828602.tif 000012
【図１２】
0003828602.tif 000013
【図１３】
0003828602.tif 000014
【図１４】
0003828602.tif 000015
【図１５】
0003828602.tif 000016
【図１６】
0003828602.tif 000017
【図１７】
0003828602.tif 000018
【図１８】
0003828602.tif 000019
【図１９】
0003828602.tif 000020
【図２０】
0003828602.tif 000021
【図２１】
0003828602.tif 000022
【図２２】
0003828602.tif 000023
【図２３】
0003828602.tif 000024
【図２４】
0003828602.tif 000025
【図２５】
0003828602.tif 000026
【図２６】
0003828602.tif 000027
【図２７】
0003828602.tif 000028
【図２８】
0003828602.tif 000029
【図２９】
0003828602.tif 000030
【図３０】
0003828602.tif 000031
【図３１】
0003828602.tif 000032
【図３２】
0003828602.tif 000033
【図３３】
0003828602.tif 000034
【図３４】
0003828602.tif 000035
【図３５】
0003828602.tif 000036
【図３６】
0003828602.tif 000037
【図３７】
0003828602.tif 000038
【図３８】
0003828602.tif 000039